(57)【要約】【課題】梱包資材を介してケーシングに伝わる衝撃によって冷凍装置ユニットのケーシングに損傷が発生するのを防止することである。【解決手段】右側緩衝材７０の側端部７４は、加湿ユニットケーシング５１の側面の外側に位置し、加湿ユニットケーシング５１の右側面５１ｃの一部を覆う。側端部７４は、加湿ユニットケーシング５１の側面に当接する内面７４ａと、内面７４ａに対向する外面７４ｂとを有している。外面７４ｂには、複数の溝７４ｃが形成され、内面７４ａと複数の溝７４ｃとの間には、開口部７４ｅが形成されている。【選択図】図１１
2012106764.tif 000002
【特許請求の範囲】
【請求項１】
冷凍装置ユニット（１０）のケーシング（５１）に取り付けて用いるための冷凍装置ユニット用緩衝材（７０）であって、
前記ケーシングの側面の外側に位置し、前記ケーシングの前記側面の一部を覆うための側端部（７４）、
を備え、
前記側端部は、前記ケーシングの前記側面に当接する内面（７４ａ）と、前記内面に対向する外面（７４ｂ）とを有し、
前記外面に複数の溝（７４ｃ）が形成され、前記内面と前記複数の溝との間に開口部（７４ｄ）が形成されている、冷凍装置ユニット用緩衝材。
【請求項２】
前記側端部は、前記開口部が前記複数の溝の延びる方向に貫通するように形成されている、請求項１に記載の冷凍装置ユニット用緩衝材。
【請求項３】
前記側端部は、前面から背面に向かって延び、前記開口部が前記前面と前記背面との中間部分（Ａｒ２）を挟んで複数形成されている、
請求項１又は請求項２に記載の冷凍装置ユニット用緩衝材。
【請求項４】
前記側端部の前記開口部は、前記複数の溝の各溝幅よりも広く開口されている、
請求項１から３のいずれか１項に記載の冷凍装置ユニット用緩衝材。
【請求項５】
前記側端部は、前記側面から見て、前記開口部の形成領域（Ａｒ１）に前記溝が複数ずつ形成されている、
請求項４に記載の冷凍装置ユニット用緩衝材。
【請求項６】
前後よりも左右に長く延びる直方体形状を持ち、プラスチック製の第１ケーシング部材（５１）と第２ケーシング部材（２１）とを上下に組み合わせたケーシングを有する冷凍装置ユニット（１０）と、
前記第１ケーシング部材の側面の外側に位置し、前記第１ケーシング部材の前記側面の一部を覆うための側端部（７４）を有する緩衝材（７０）と、
を備え、
前記緩衝材の前記側端部は、前記第１ケーシング部材の前記側面に当接する内面（７４ａ）と、前記内面に対向する外面（７４ｂ）とを有し、前記外面に複数の溝が形成され、前記内面と前記複数の溝（７４ｃ）との間に開口部（７４ｄ）が形成されている、冷凍装置ユニットの梱包体。
【請求項７】
前記緩衝材の外側を覆うダンボール製蓋（９０）をさらに備え、
前記緩衝材の前記側端部は、前記側端部の前記外面に、前記ダンボール製蓋のダンボールの重なり部分（９０ａ）が嵌まる凹部（７４ｇ）を有し、前記外面側から見て前記開口部が前記凹部に一部重なるように配置されている、
請求項６に記載の冷凍装置ユニットの梱包体。
【請求項８】
前記冷凍装置ユニットは、中央よりも前記側面側に近い側に配置されている圧縮機（３３）を有する、
請求項６又は請求項７に記載の冷凍装置ユニットの梱包体。
【発明の詳細な説明】
【技術分野】
【０００１】
本発明は、冷凍装置ユニットを梱包するための冷凍装置ユニット用緩衝材及びその緩衝材を用いた冷凍装置ユニットの梱包体に関する。
【背景技術】
【０００２】
空気調和装置の室外機などは、冷凍装置の機能をケーシングに収めてユニット化した冷凍装置ユニットである。このような冷凍装置ユニットは、一旦設置されると恒常的に外部から強い衝撃を受けつつ使用されるようなものではないため、厚い金属板などの強固な外殻で覆う必要はなく、ケーシングが薄い金属板やプラスチック製の部材で形成されている。そのため、冷凍装置ユニットは、工場から出荷されて設置場所に据え付けられるまでの間は、ダンボールや発泡スチロールなどの包装資材で梱包されて搬送や保管等がなされるのが一般的である。
【０００３】
冷凍装置ユニットの中でも特に、ケーシングがプラスチック製ケーシング部材と金属製ケーシング部材とを組み合わされて構成されるものがある。このようなプラスチック製ケーシング部材を一部に用いているものは、プラスチックが応力によって割れたり、白化したりといった不具合を引き起こし易いため、その搬送や保管等の取り扱いに注意を要する。
【０００４】
そのため、例えば特許文献１（特開２００４−２１７３０７号公報）に記載されているように、搬送や保管等を行うときには、冷凍装置ユニットである室外機の周囲にダンボール材や緩衝部材が配され、搬送時や保管時などに室外機が障害物などに直接接触しないように梱包される。
【発明の概要】
【発明が解決しようとする課題】
【０００５】
しかしながら、特許文献１に記載されているように梱包されている場合でも、梱包資材が障害物に衝突すると、梱包資材を介して冷凍装置ユニットのケーシングに衝撃が伝わり、ケーシングの中でも特にプラスチック製ケーシング部材に割れや白化などの損傷が発生する場合が多い。
【０００６】
本発明の課題は、梱包資材を介してケーシングに伝わる衝撃によって冷凍装置ユニットのケーシングに損傷が発生するのを防止することである。
【課題を解決するための手段】
【０００７】
本発明の第１観点に係る冷凍装置ユニット用緩衝材は、冷凍装置ユニットのケーシングに取り付けて用いるための冷凍装置ユニット用緩衝材であって、ケーシングの側面の外側に位置し、ケーシングの側面の一部を覆うための側端部を備える。側端部は、ケーシングの側面に当接する内面と、内面に対向する外面とを有し、外面に複数の溝が形成され、内面と複数の溝との間に開口部が形成されている。
【０００８】
第１観点に係る緩衝材によれば、複数の溝と開口部によって緩衝材の側端部の剛性が弱められているので、側端部の開口部周辺が撓んだり潰れたりすることによって、側端部を介して側面側から所定以上の衝撃がケーシングの弱い部分に伝わるのを防止することができる。
【０００９】
本発明の第２観点に係る冷凍装置ユニット用緩衝材は、第１観点に係る緩衝材において、側端部は、開口部が複数の溝の延びる方向に貫通するように形成されている。
【００１０】
第２観点の緩衝材によれば、複数の溝の延びる方向に開口部が貫通しているので、側面からの衝撃について側端部の剛性を弱め易い。
【００１１】
本発明の第３観点に係る冷凍装置ユニット用緩衝材は、第１観点又は第２観点の緩衝材において、側端部は、前面から背面に向かって延び、開口部が前面と背面との中間部分を挟んで複数形成されている。
【００１２】
第３観点の緩衝材によれば、複数の開口部に挟まれた側端部の中間部分が強度を保つため、側面に対して垂直な方向に加わる弱い衝撃に対しては中間部分で衝撃を受け止めることができ、弱い衝撃による側端部の潰れが防止される。
【００１３】
本発明の第４観点に係る冷凍装置ユニット用緩衝材は、第１観点から第３観点のいずれかの緩衝材において、側端部の開口部は、複数の溝の各溝幅よりも広く開口されている。
【００１４】
第４観点の緩衝材によれば、開口部の幅が溝幅よりも大きいので、溝によって溝と開口部の間にある壁が撓み易くなる。
【００１５】
本発明の第５観点に係る冷凍装置ユニット用緩衝材は、第４観点の緩衝材において、側端部は、側面から見て、開口部の形成領域に溝が複数ずつ形成されている。
【００１６】
第５観点の緩衝材によれば、複数の溝によって開口部と溝との間の壁の剛性の調整ができるので、剛性の調整が容易になる。
【００１７】
本発明の第６観点に係る冷凍装置ユニットの梱包体は、前後よりも左右に長く延びる直方体形状を持ち、プラスチック製の第１ケーシング部材と第２ケーシング部材とを上下に組み合わせたケーシングを有する冷凍装置ユニットと、第１ケーシング部材の側面の外側に位置し、第１ケーシング部材の側面の一部を覆うための側端部を有する緩衝材とを備えている。緩衝材の側端部は、第１ケーシング部材の側面に当接する内面と、内面に対向する外面とを有し、外面に複数の溝が形成され、内面と複数の溝との間に開口部が形成されている。
【００１８】
第６観点の梱包体によれば、複数の溝と開口部によって緩衝材の側端部の剛性が弱められているので、側端部の開口部周辺が撓んだり潰れたりすることによって、側端部を介して側面側から所定以上の衝撃が伝わるのを防止することができる。
【００１９】
本発明の第７観点に係る冷凍装置ユニットの梱包体は、第６観点の梱包体において、緩衝材の外側を覆うダンボール製蓋をさらに備え、緩衝材の側端部は、側端部の外面に、ダンボール製蓋のダンボールの重なり部分が嵌まる凹部を有し、外面側から見て開口部が凹部に一部重なるように配置されている。
【００２０】
第７観点の梱包体によれば、ダンボール製蓋の重なり部分の厚くなっているところから局所的に大きな力が加わるのを側端部の凹部によって防止でき、不必要に側端部が潰れるのを防止できる。
【００２１】
本発明の第８観点に係る冷凍装置ユニットの梱包体は、第６観点又は第７観点の梱包体において、冷凍装置ユニットは、中央よりも側面側に近い側に配置されている圧縮機を有する。
【００２２】
第８観点の梱包体によれば、圧縮機が配置される側に重心が偏っていることが多く、圧縮機に近い側面側が損傷し易いので、効果的に損傷を防止することができる。一方、反対側の側面は、簡単な構成にして緩衝材の使用量を減らしたり小さくしたりするなどの簡素化が図れる。
【発明の効果】
【００２３】
本発明の第１観点に係る冷凍装置ユニット用緩衝材では、梱包資材の外から緩衝材を介してケーシングに伝わる衝撃によって冷凍装置ユニットのケーシングに損傷が発生するのを防止することができる。
【００２４】
本発明の第２観点に係る冷凍装置ユニット用緩衝材では、側端部の剛性について弱め易く、側端部を介して側面側から衝撃が伝わるのを防止し易くなる。
【００２５】
本発明の第３観点に係る冷凍装置ユニット用緩衝材では、弱い衝撃で側端部が潰れて緩衝材の機能を果たさなくなるのを側端部の中間部分によって防止することができる。
【００２６】
本発明の第４観点に係る冷凍装置ユニット用緩衝材では、溝によって溝と開口部の間にある壁がたわみ易くなり、溝がない場合に比べて、弱い衝撃に対しても十分な緩衝効果を発揮することができる。
【００２７】
本発明の第５観点に係る冷凍装置ユニット用緩衝材では、剛性の調整が容易であるので様々な形態の冷凍装置ユニットに適用し易くなり、適用範囲が広がる。
【００２８】
本発明の第６観点に係る冷凍装置ユニットの梱包体では、梱包資材を介してケーシングに伝わる衝撃によって冷凍装置ユニットのケーシングに損傷が発生するのを防止することができる。
【００２９】
本発明の第７観点に係る冷凍装置ユニットの梱包体では、ダンボール製蓋によって不必要に側端部が潰れるのを防止できるので、側端部の開口部と溝による効果がダンボール製蓋を用いたために発揮できなくなる状況を減らすことができる。
【００３０】
本発明の第８観点に係る冷凍装置ユニットの梱包体では、圧縮機に近い側面側の損傷を効果的に防止でき、搬送時の破損をより多く減らすことができる。一方、高い緩衝効果が不要な側面については緩衝材を小さくしたり減らしたりすることができる。
【図面の簡単な説明】
【００３１】
【図１】一実施形態に係る冷凍装置ユニットの外観を示す正面図。
【図２】空気調和装置の冷凍回路の概要を示す概略図。
【図３】冷凍装置ユニットの外観を示す部分拡大斜視図。
【図４】冷凍装置ユニットの外観を示す部分拡大側面図。
【図５】冷凍装置ユニットの外観を示す部分拡大正面図。
【図６】緩衝材の底面図。
【図７】右側緩衝材の平面図。
【図８】右側緩衝材の正面図。
【図９】右側緩衝材の側面図。
【図１０】梱包体の部分斜視図。
【図１１】梱包体の部分拡大平面図。
【発明を実施するための形態】
【００３２】
以下図面を参照しながら、本発明の実施形態について説明する。なお、以下の実施形態は、本発明の具体例であって、本発明の技術的範囲を限定するものではない。
【００３３】
（１）梱包対象物
（１−１）冷凍装置ユニットの外観
本発明の一実施形態に係る冷凍装置ユニット用緩衝材で梱包される冷凍装置ユニットについて、図１を用いて説明する。図１に示す冷凍装置ユニット１０は、加湿機能と除湿機能とを有する空気調和機の室外機である。この冷凍装置ユニット１０は、下部の室外空調ユニット２０と上部の加湿ユニット５０とからなる。加湿ユニット５０は、室外空調ユニット２０の上に嵌め込まれて、ネジによって固定される。室外空調ユニット２０は、その多くの部分が薄い金属板を加工して形成された室外空調ユニットケーシング２１によって囲まれている。一方、加湿ユニット５０は、プラスチック製の加湿ユニットケーシング５１によって外殻が構成されている。
【００３４】
室外空調ユニットケーシング２１の前面には、複数のスリット状の開口からなる空気吹出口２２が形成されている。空気吹出口２２は、後述する室外ファンによって生じる、背面側から室外熱交換器を通過して前面に通り抜ける気流の出口である。従って、図１には示されていないが、背面側には空気吸込口がある。
【００３５】
加湿ユニットケーシング５１の前面には、吸着用空気吹き出し口と吸着用空気取り込み口と室内空気の吸排気口のための複数のスリット状の開口５２が設けられている。吸着用空気取り込み口は、加湿ユニットケーシング５１の背面側にも設けられている。
【００３６】
室外空調ユニットケーシング２１や加湿ユニットケーシング５１は、外殻が薄い金属板やプラスチック板で形成されているだけでなく、上述のように空気吹出口２２や空気吸込口、開口５２や背面側の吸着用空気取り込み口などの開口部が形成されているために、必然的にその機械的強度が低下せざるを得ない。
【００３７】
（１−２）冷凍装置ユニットの内部構成と使用状態
図２は、空気調和機の冷媒回路や吸排気の状況を示す概略図である。室外機である冷凍装置ユニット１０は、室内機２と接続されて空気調和機１を構成する。この空気調和機１は、冷房運転、暖房運転、加湿運転、給気運転および排気運転などを行う。
【００３８】
室外空調ユニット２０内には、図２に示すように、圧縮機３１と、圧縮機３１の吐出側に接続される四路切換弁３２と、圧縮機３１の吸入側に接続されるアキュムレータ３３と、四路切換弁３２に接続される室外熱交換器３４と、室外熱交換器３４に接続される室外膨張弁３５とフィルタ３６とが収容されている。室外膨張弁３５は、フィルタ３６および液閉鎖弁３７を介して液冷媒配管に接続されており、この液冷媒配管を介して第１室内熱交換器３ａの一端と接続されている。また、四路切換弁３２は、ガス閉鎖弁３８を介してガス冷媒配管に接続されており、このガス冷媒配管を介して第２室内熱交換器３ｂの一端と接続されている。
【００３９】
室内熱交換器３は、第１室内熱交換器３ａと第２室内熱交換器３ｂとから構成されており、第１室内熱交換器３ａと第２室内熱交換器３ｂとの間には、室内膨張弁４が設けられている。この冷媒回路には、気流を発生するために室内機２内には室内ファン５が設けられ、室外空調ユニット２０内には室外ファン３９が設けられている。
【００４０】
加湿ユニット５０は、室内機２と加湿ユニット５０とを結ぶ吸排気ホース６を介して、室内から取り込まれた空気を室外へと排気したり、室外から取り込まれた室外空気を室内へと供給したりすることができる。また、室外空気を加湿して室内へと供給することもできる。そのため、加湿ユニットケーシング５１内には、図２に示されているように、加湿ロータ６１、加熱装置６２、吸排気切り換えダンパ６３、吸排気ファン６４および吸着用送風装置６５等が収容されている。
【００４１】
吸排気ファン６４は、加湿ロータ６１の側方に配置されており、室外から取り込まれ室内機２へと送られる室外空気の流れを発生する。この空気の流れは、吸排気口６９から加湿ロータ６１および吸排気切り換えダンパ６３を経て室内へと到る。また、吸排気ファン６４は、前述の経路を逆にたどって室内機２から取り入れ室外へと排出される室内空気の流れを発生することもできる。吸排気ファン６４が室外空気の流れを発生するか又は室内空気の流れを発生するかは、吸排気切り換えダンパ６３の切換えによって行われる。
【００４２】
吸着用送風装置６５は、吸着用空気吸入口６８から吸い込まれ、加湿ロータ６１のうちの加熱装置６２と対向しない部分を通過し、ベルマウスの開口を通り、吸着用空気吹き出し口６７から室外へ排出される空気の流れを発生する。
【００４３】
以上説明したように、冷凍装置ユニット１０の室外空調ユニット２０及び加湿ユニット５０のいずれもが、その機能を実現するために内部に種々の機器を収容している。このように、室外空調ユニットケーシング２１や加湿ユニットケーシング５１の機械的強度がそれほど高くないにもかかわらず、それらの内部には重い機器が収容されている。そのため、冷凍装置ユニット１０の輸送や保管時の衝撃の吸収が重要になる。
【００４４】
（１−３）加湿ユニットと室外空調ユニットの嵌め合い
図３、図４及び図５を用いて、室外空調ユニット２０の室外空調ユニットケーシング２１に、加湿ユニット５０の加湿ユニットケーシング５１が嵌め込まれている状態について説明する。室外空調ユニットケーシング２１の右側面２１ｃと加湿ユニットケーシング５１の右側面５１ｃは、嵌め込み後の状態で面一になるように形成されている。前面側では、開口５２を覆うグリッド５３が、室外空調ユニットケーシング２１の前面２１ａよりも飛び出している。また、背面側では、加湿ユニットケーシング５１の背面５１ｂが、室外空調ユニットケーシング２１の背面２１ｂよりも少し飛び出している。加湿ユニットケーシング５１は、側面のネジ５５などによって室外空調ユニットケーシング２１に固定される。
【００４５】
室外空調ユニットケーシング２１の上部には、上部が絞られて上部の外周を一回りする凹み２１ｄが形成されている。この室外空調ユニットケーシング２１の凹み２１ｄの外周に加湿ユニットケーシング５１の下部内周が接触するように、加湿ユニットケーシング５１の下部外周を下方に伸ばした凸部５１ｆが形成されている。この凸部５１ｆの部分は、加湿ユニットケーシング５１の前面５１ａや背面５１ｂや側面５１ｃに比べて肉厚が薄くなっており、側面方向からの衝撃に対して白化や欠損が生じ易くなっている。また、室外空調ユニットケーシング２１の上部を絞る際に生じた皺２１ｅも応力の集中を招いて白化などを発生する原因の１つになっている。
【００４６】
（２）緩衝材
図６に示すように、緩衝材６０は、右側緩衝材７０と左側緩衝材８０とからなる。この緩衝材６０は、発泡スチロールで構成されており、一つの金型で右側緩衝材７０と左側緩衝材８０とを同時に成形する。そして、使用時には、右側緩衝材７０と左側緩衝材８０との境界部分で割って分離する。室外空調ユニットケーシング２１の右側に圧縮機３１などの重量の重いものが集中しており、右側からの衝撃の吸収が重要なため、右側緩衝材７０は、左側緩衝材８０よりも側面からのより大きな衝撃吸収が可能なように構成されている。
【００４７】
この右側緩衝材７０の方に発明の構成が適用されているので、以下、右側緩衝材７０について詳細に説明する。図７は緩衝材の底面図であり、図８は緩衝材の背面図であり、図９は緩衝材の側面図である。
【００４８】
右側緩衝材７０は、天板部７１と前板部７２と背板部７３と側端部７４とからなる。右側緩衝材７０の使用時においては、天板部７１が加湿ユニットケーシング５１の上面５１ｄ（図４参照）に当てられ、前板部７２が前面５１ａに当てられ、背面５１ｂに背板部７３が当てられるようにして加湿ユニットケーシング５１に取り付けられる。そのため、右側緩衝材７０は、Ａ−Ａ線で切断した断面がコ字型をしている。右側緩衝材７０は、断面形状がコ字型をしているので、前板部７２と背板部７３とによって挟むようにして加湿ユニットケーシング５１に動かないように載置できる。これらのうちの天板部７１には中央部の大きな開口部７１ｄと右側面よりの２つの開口部７１ｄが形成されており、材料の削減が図られている。また、前板部７２と背板部７３と側端部７４とには、後述するPP（ポリプロピレン）バンドを留めるための凹部７２ａ、７３ａ、７４ｅが設けられている。
【００４９】
また、天板部７１と側端部７４とは、正面視における断面形状が略Ｌ字型をなすように形成されている。この側端部７４は、加湿ユニットケーシング５１の右側面を覆う。ただし、側端部７４は、室外空調ユニットケーシング２１には掛からない。つまり、側端部７４は、加湿ユニットケーシング５１の右側面側の外側に位置している。そして、側端部７４は、加湿ユニットケーシング５１に当接する内面７４ａを有している。側端部７４の内面７４ａに対向する外面７４ｂには、８条の溝７４ｃが形成されている。溝７４ｃは、上下方向に延びるように形成されている。外面７４ｂの溝７４ｃと内面７４ａとの間に開口部７４ｄが形成されている。開口部７４ｄは溝７４ｃが延びる方向に貫通している。これらの溝７４ｃは、図９に示すように、右側面側から見て、開口部７４ｄの形成領域Ａｒ１に複数形成されている。
【００５０】
一方、側端部７４の前面側と背面側の中間部分Ａｒ２には、貫通した開口部は形成されていない。中間部分Ａｒ２には凹部７４ｆが形成されているが、右側面から衝撃が中間部分Ａｒ２に加わった場合に中間部分Ａｒ２の発泡スチロールがその弾性によって衝撃を吸収し、この中間部分Ａｒ２は、潰れ難い構造になっている。この中間部分Ａｒ２には、後述するPPバンドが取り付けられる凹部７４ｅが形成されている。
【００５１】
図６に示すように、側端部７４の外面７４ｂには、中間部分Ａｒ２よりも一段引っ込んだ凹部７４ｇが形成されている。この凹部７４ｇには、後述するダンボール製蓋９０の重なり部分（ダンボールが２重になっているところ）が嵌まる。
【００５２】
（３）梱包体
図１０は、梱包体の部分斜視図である。図１０に示すように、梱包体１００は、冷凍装置ユニット１０上部の加湿ユニットケーシング５１の上面５１ｄの左右に右側緩衝材７０と左側緩衝材８０とが取り付けられる。さらにその上から、ダンボール製蓋９０が被せられている。そして、ダンボール製蓋９０の上からPPバンド９１などによってこれらが一緒に締結される。
【００５３】
図１１に示すように、ダンボール製蓋９０を右側緩衝材７０に被せると、右側面側において、ダンボールが２重に重なっている重なり部分９０ａが凹部７４ｇに嵌まる。この凹部７４ｇは、ダンボールの１枚分の厚みに相当する深さを有している。それにより、右側面のダンボール製蓋９０の外側が平なものに当たったとき、ダンボールが２重になっているところから側端部７４に応力が集中するのを避けることができる。
【００５４】
（４）特徴
（４−１）
右側緩衝材７０の側端部７４は、その外面７４ｂに形成された溝７４ｃ及び、溝７４ｃと内面７４ａとの間に形成された開口部７４ｄによって、加湿ユニットケーシング５１において、中間部分Ａｒ２よりも前面５１ａや背面５１ｂに近いところ（形成領域Ａｒ１）の剛性が弱められている。そのため、側端部７４の前面側や背面側に寄ったところに強い衝撃が加わると、図１１の二点鎖線Ｌ１で示すように、開口部７４ｄと外面７４ｂとの間の壁が撓む。この撓みによって白化や欠損などを生じる衝撃を吸収して緩和することができる。さらに強い衝撃が加わったときには、開口部７４ｄと外面７４ｂとの間の壁が潰れて衝撃を吸収する場合もある。それにより、加湿ユニットケーシング５１が室外空調ユニットケーシング２１に嵌まっている部分、特にその角の部分５１ｅが白化したり、破損したりするのを防止することができる。
【００５５】
特に、開口部７４ｄの貫通する方向が、溝７４ｃの延びる方向に一致しているので、開口部７４ｄと外面７４ｂの間の壁が二点鎖線Ｌ１で示すように撓み易くなる。溝７４ｃが撓みの起点になることから、開口部７４ｄの幅を溝７４ｃの幅より狭くすることが好ましい。また、このように撓み易くなる効果が溝７４ｃを断面コ字型に形成することによってさらに助長され、側端部７４が側面から受ける衝撃は、さらに吸収され易くなる。
【００５６】
また、側面方向から見たときに、開口部７４ｄの形成領域Ａｒ１にそれぞれ複数の溝７４ｃが形成される。各形成領域Ａｒ１に形成されている溝７４の数が増えることで、側端部７４が側面から受ける衝撃は、さらに吸収され易くなる。
【００５７】
（４−２）
剛性を弱めて側端部７４の側面からの衝撃を吸収し易くするだけでは、少しの衝撃で側端部７４が潰れて、その後の衝撃に対する緩衝効果が十分に発揮されなくなる恐れがある。そこで、少しの衝撃に対して側端部７４が潰れずに耐えられるよう、前後方向の中間にある中間部分Ａｒ２には、貫通した開口部が形成されないように構成されている。それにより、衝撃が小さくて、白化や欠損などを起さない状況では、中間部分Ａｒ２の発泡スチロール（発泡体）が衝撃を吸収して、加湿ユニットケーシング５１を衝撃から保護する。
【００５８】
（４−３）
梱包体１００は、ダンボール製蓋９０と緩衝材６０（右側緩衝材７０と左側緩衝材８０）とを用いて冷凍装置ユニット１０を梱包したものである。この冷凍装置ユニット１０は、下部の室外空調ユニットケーシング２１（第２ケーシング部材）と上部の加湿ユニットケーシング５１（第１ケーシング部材）とを備えている。冷凍装置ユニット１０の加湿ユニットケーシング５１に右側緩衝材７０を取り付けて、その上からダンボール製蓋９０を被せた場合、側端部７４の外面７４ｂが平坦であると仮定すると、ダンボール製蓋９０の重なり部分９０ａだけが外面７４ｂに当たり、中間部分Ａｒ２などの重なり部分９０ａから離れたところがダンボール製蓋９０に当たり難くなる。そうすると、梱包体１００の側面が平らなものに衝突したような場合、ダンボール製蓋９０の重なり部分９０ａに当接する側端部７４に応力が集中して、少しの衝撃で側端部７４の開口部７４ｄの近傍の構造が壊れてしまい、役に立たなくなる場合が考えられる。
【００５９】
上記実施形態では、このダンボール製蓋９０の重なり部分９０ａの影響をなくすための凹部７４ｇが形成されている。この凹部７４ｇに重なり部分９０ａが嵌まることで、側面が平らなものに衝突しても、重なり部分９０ａよりもむしろ側端部７４の中間部分Ａｒ２に応力が掛かる。それにより、ダンボール製蓋９０によって不必要に側端部７４が潰れるのを防止できるので、側端部７４の開口部７４ｄと溝７４ｃによる効果がダンボール製蓋９０を用いたために発揮できなくなる状況を減らすことができる。
【００６０】
（５）変形例
（５−１）
上記実施形態では、冷凍装置ユニット１０として、空気調和装置の室外機を例に挙げて説明したが、このような冷凍装置ユニットは空気調和装置の室外機には限られず、冷却運転又は加熱運転を行う各種の冷凍装置ユニットに適用できる。ただし、上述の室外機のように、金属製のケーシング部材（室外空調ユニットケーシング２１）とプラスチック製のケーシング部材（加湿ユニットケーシング５１）とが組み合わされているものに対して適用すると効果的である。
【００６１】
（５−２）
上記実施形態では、開口部７４ｄを前側と後側の両方に１つずつ設けたが、特に白化や欠損が生じ安い箇所がいずれか一方の場合には、不具合の起こり易い方にだけ設けてもよい。また、開口部７４ｄの個数は２つには限られず、３つ以上であってもよい。
【００６２】
（５−３）
上記実施形態では、ダンボール製蓋９０を用いる場合について説明したが、ダンボール箱を用いても同様の効果が得られる。
【００６３】
（５−４）
上記実施形態では、側面が平坦な略直方体形状の冷凍装置ユニットに適用した例を示したが、側面が湾曲するような略直方体形状のものにも適用でき、同様の効果が得られる。
【００６４】
（５−５）
上記実施形態では、平面視における溝７４ｃの形状をコ字型にしているが、例えばＶ字型でもよい。溝形状としては、平面視したときに、コ字型やＶ字型のように角ができる形状が好ましい。
【符号の説明】
【００６５】
１０  冷凍装置ユニット
２０  室外空調ユニット
２１  室外空調ユニットケーシング
５０  加湿ユニット
５１  加湿ユニットケーシング
７０  右側緩衝材
７４  側端部
７４ｃ  溝
７４ｄ  開口部
８０  左側緩衝材
９０  ダンボール製蓋
【先行技術文献】
【特許文献】
【００６６】
【特許文献１】特開２００４−２１７３０７号公報
【図１】
2012106764.tif 000003
【図２】
2012106764.tif 000004
【図３】
2012106764.tif 000005
【図４】
2012106764.tif 000006
【図５】
2012106764.tif 000007
【図６】
2012106764.tif 000008
【図７】
2012106764.tif 000009
【図８】
2012106764.tif 000010
【図９】
2012106764.tif 000011
【図１０】
2012106764.tif 000012
【図１１】
2012106764.tif 000013